(57)【要約】  本明細書で説明されるのは、２次元にわたって光を差し向けるためのシステムである。このシステムは、波長に基づく初期次元にわたり光を差し向けるように配置された分散素子を含む。このシステムはさらに、差し向けられた光を受け取るための、初期次元に沿って配置されたステアリング素子のアレイを含み、ステアリング素子のアレイは、受け取った光をさらに差し向けるように構成され、それにより２次元にわたる光の差し向けが達成される。さらに説明されるのは、光を２次元にわたって差し向ける方法である。【選択図】図８
2019536098.tif 000002
【特許請求の範囲】
【請求項１】
２次元にわたって光を差し向けるための光学システムであって、前記光は波長帯域にグループ化される複数の波長チャネルのうちの選択された１つを含み、前記システムは、
前記光を、前記複数の波長チャネルのうちの前記選択された１つに基づく初期次元にわたる第１の方向のうちの１つに向けて差し向けるように配置された分散素子と、
前記差し向けられた光を受け取るように前記初期次元に沿って配置されたステアリング素子のアレイと、
を含み、
前記ステアリング素子のアレイは、前記受け取った光を、前記初期次元に沿った位置に基づく第２の方向のうちの１つに向けてさらに差し向けるように構成され、前記第２の方向は、それぞれの波長帯域に基づくそれぞれの平面に沿って整列され、前記平面は、前記初期次元に関連付けられる第１の次元にわたって分布され、各々の平面は前記第１の次元に実質的に垂直な第２の次元を横切って延びる、
光学システム。
【請求項２】
前記ステアリング素子のアレイは、各々、前記受け取った光を前記第２の次元を横切って回折する可変線間隔回折格子を含む、請求項１に記載の光学システム。
【請求項３】
前記可変線間隔回折格子は、前記可変線間隔回折格子上の前記初期次元に沿った位置群に基づく複数の格子周期を含む、請求項２に記載の光学システム。
【請求項４】
前記複数の格子周期は、前記初期次元に沿って連続的に変化する、請求項３に記載の光学システム。
【請求項５】
前記複数の格子周期は、前記初期次元に沿って不連続に変化する、請求項３に記載の光学システム。
【請求項６】
前記複数の格子周期の変化は、前記ステアリング素子のアレイを横切って実質的に繰り返す、請求項３〜５のいずれか一項に記載の光学システム。
【請求項７】
前記第２の方向は、前記可変線間隔回折格子上の前記初期次元に沿った前記位置群に対応する、請求項３〜６のいずれか一項に記載の光学システム。
【請求項８】
前記ステアリング素子のアレイは、各々、前記受け取った光を前記第２の次元を横切って反射するための反射素子を含む、請求項１に記載の光学システム。
【請求項９】
前記反射素子は、法線ベクトルが前記初期次元に沿った位置群に基づいて変化する反射表面を含む、請求項８に記載の光学システム。
【請求項１０】
前記法線ベクトルは、前記初期次元に沿った位置群と共に連続的に変化する、請求項９に記載の光学システム。
【請求項１１】
前記法線ベクトルは、前記初期次元に沿った位置群と共に不連続に変化する、請求項９に記載の光学システム。
【請求項１２】
前記差し向けられた光を前記初期次元内に閉じ込めるための収束素子をさらに含む、請求項３〜１１のいずれか一項に記載の光学システム。
【請求項１３】
前記収束素子は円筒型レンズである、請求項１２に記載の光学システム。
【請求項１４】
前記収束素子によって収束された光をコリメートするためのコリメート素子をさらに含む、請求項１２又は１３に記載の光学システム。
【請求項１５】
前記分散素子は、前記光を前記初期次元にわたって差し向けるための、１つ又はそれ以上の回折格子及び１つ又はそれ以上のプリズムの任意の組み合わせを含む、請求項１に記載の光学システム。
【請求項１６】
２次元にわたって光を差し向ける方法であって、前記光は波長帯域にグループ化される複数の波長チャネルのうちの選択された１つを含み、前記方法は、
前記光を、分散素子を用いて、前記複数の波長チャネルのうちの前記選択された１つに基づく初期次元に沿って配置されたステアリング素子のアレイにおいて、前記初期次元にわたる第１の方向のうちの１つに向けて、差し向けるステップと、
前記差し向けられた光を、前記ステアリング素子のアレイを用いて、前記初期次元に沿った位置に基づく第２の方向のうちの１つに向けて、さらに差し向けるステップと、
を含み、
前記第２の方向は、それぞれの波長帯域に基づくそれぞれの平面に沿って整列され、前記平面は前記初期次元に関連付けられる第１の次元にわたって分布され、各々の平面は、前記第１の次元に実質的に垂直な第２の次元を横切って延びる、
方法。
【請求項１７】
光を２次元にわたって差し向けるための光学システムであって、
複数の波長のうちの少なくとも１つを含む光を受け取り、前記複数の波長を空間的に分散させるように配置された少なくとも１つの分散素子と、
前記複数の波長の全てよりは少ない、前記複数の波長のうちの第１の複数を、前記分散素子から受け取り、前記複数の波長のうちの前記第１の複数を、第１の投射を横切って空間的に差し向けるように配置された第１のステアリング素子と、
前記複数の波長の全てよりは少なく、前記複数の波長のうちの前記第１の複数とは異なる、前記複数の波長のうちの第２の複数を、前記分散素子から受け取り、前記複数の波長のうちの第２の複数を、第２の投射を横切って空間的に差し向けるように配置された第２のステアリング素子と、
を含み、
前記第１の投射及び前記第２の投射は、結合して２次元にわたって広がる、
光学システム。
【請求項１８】
前記第１の投射及び前記第２の投射は、第１の次元にわたって分布され、前記第１の次元に対して直角の第２の次元を横切って広がる、請求項１７に記載の光学システム。
【請求項１９】
前記第１の投射及び前記第２の投射は、実質的に線形且つ実質的に平行である、請求項１８に記載の光学システム。
【請求項２０】
前記第１及び第２のステアリング素子は、第１の次元に沿って置かれた分散素子であり、前記第１及び第２の投射は、前記第１の次元に対して実質的に直角である、請求項１７〜１９のいずれか一項に記載の光学システム。
【請求項２１】
前記第１及び第２のステアリング素子は、第１の次元に沿って置かれた反射素子であり、前記第１及び第２の投射は、前記第１の次元に実質的に平行であり、前記第１の次元に対して直角な第２の次元において、互いにオフセットされる、請求項１７〜１９のいずれか一項に記載の光学システム。
【請求項２２】
前記第１及び第２のステアリング素子は、第１の次元に沿って置かれた反射素子であり、前記第１及び第２の投射は、前記第２の次元に実質的に平行であり、前記第２の次元に直角な第１の次元において、互いにオフセットされる、請求項１７〜１９のいずれか一項に記載の光学システム。
【請求項２３】
前記分散素子によって受け取られる前記光を生成するように配置された光源を含み、前記光源は、第１の期間中に、前記複数の波長のうちの前記第１の複数を生成し、前記複数の波長のうちの前記第２の複数を生成せず、前記第１の期間とは異なる第２の期間中に、前記複数の波長のうちの前記第２の複数を生成し、前記複数の波長のうちの前記第１の複数を生成しない、請求項１７〜２２のいずれか一項に記載の光学システム。
【請求項２４】
２次元にわたって光を差し向ける方法であって、
第１のステアリング素子において、第１の波長範囲を含む第１の光信号を受け取るステップ、及び、前記第１のステアリング素子により、第１の投射を横切って前記第１の光信号を空間的に差し向けるステップと、
第２のステアリング素子において、前記第１の波長範囲とは異なる第２の波長範囲を含む第２の光信号を受け取るステップ、及び、前記第２のステアリング素子により、第２の投射を横切って前記第２の光信号を空間的に差し向ける、
を含み、
前記第１の投射及び前記第２の投射は、結合して２次元にわたって広がる、
方法。
【請求項２５】
光源光を、分散素子を通過させることによって前記第１の光信号及び前記第２の光信号を生成するステップをさらに含み、前記分散素子は前記光源光を前記第１の光信号及び前記第２の光信号に分散させるように配置される、請求項２４に記載の方法。
【請求項２６】
前記第１の波長範囲及び前記第２の波長範囲を通して走査するように前記光源光を調整するステップを含み、それにより、前記第１及び第２の光信号が、それぞれ、前記第１及び第２の投射を横切ってステアリングされる、請求項２５に記載の方法。
【発明の詳細な説明】
【技術分野】
【０００１】
本開示は、一般に、光学ビームを差し向けるためのシステム及び方法に関する。より具体的には、本開示は、２次元において光学ビームを差し向けるためのシステム及び方法に関する。
【背景技術】
【０００２】
光学ビーム差し向けは、光がマッピングの目的で或る環境内に送られるＬｉＤＡＲ（ｌｉｇｈｔ  ｄｅｔｅｃｔｉｏｎ  ａｎｄ  ｒａｎｇｉｎｇ：光検知測距）用途を含むがそれに限定されない幾つかの使用法を有する。３次元マッピングにおいて、次元のうちの１つは光学ビームの源からの或る点の範囲に関係し、他方、他の２つの次元は、光学ビームが横切ってステアリングされる２次元空間（例えば、デカルト座標（ｘ，ｙ）又は極座標（ｒ，シータ））に関係する。
【発明の概要】
【課題を解決するための手段】
【０００３】
本開示の一態様により、２次元にわたって光を差し向けるための光学システムが提供され、その光は波長帯域内にグループ化される複数の波長チャネルのうちの選択された１つを含み、そのシステムは、
複数の波長チャネルのうちの選択された１つに基づく初期次元にわたる第１の方向のうちの１つに向けて光を差し向けるように配置された分散素子と、
差し向けられた光を受け取るために初期次元に沿って配置されたステアリング素子のアレイと、
を含み、ステアリング素子のアレイは、受け取った光を、初期次元に沿ったそれの位置に基づく第２の方向のうちの１つに向けてさらに差し向けるように構成され、第２の方向は、それぞれの波長帯域に基づくそれぞれの平面に沿って整列され、その平面は初期次元に関連付けられる第１の次元にわたって分布し、各々の平面は第１の次元に実質的に垂直な第２の次元を横切って延びる。
【０００４】
本開示の別の態様により、２次元にわたって光を差し向ける方法が提供され、その光は波長帯域内にグループ化される複数の波長チャネルのうちの選択された１つを含み、その方法は、
分散素子を使用し、複数の波長チャネルのうちの選択された１つに基づく初期次元に沿って配置されたステアリング素子のアレイにおいて、初期次元にわたる第１の方向のうちの１つに向けて、光を差し向けるステップと、
差し向けられた光を、ステアリング素子のアレイを用いて、初期次元に沿った位置に基づく第２の方向のうちの１つに向けて、さらに差し向けるステップと、
を含み、第２の方向はそれぞれの波長帯域に基づくそれぞれの平面に沿って整列され、その平面は、初期次元に関連付けられる第１の次元にわたって分布し、各々の平面は第１の次元に実質的に垂直な第２の次元を横切って延びる。
【０００５】
本開示の別の態様により、２次元にわたって光を差し向けるための光学システムが提供され、この光学システムは、
複数の波長のうちの少なくとも１つを含む光を受け取り、複数の波長を空間的に分散させるように配置された少なくとも１つの分散素子と、
複数の波長の全てよりは少ない、複数の波長のうちの第１の複数を、分散素子から受け取り、複数の波長のうちの第１の複数を、第１の投射を横切って空間的に差し向けるように配置された第１のステアリング素子と、
複数の波長の全てよりは少なく、複数の波長のうちの第１の複数とは異なる、複数の波長のうちの第２の複数を、分散素子から受け取り、複数の波長のうちの第２の複数を、第２の投射を横切って空間的に差し向けるように配置された第２のステアリング素子と、
を含み、
第１の投射及び第２の投射は、結合して２次元にわたって広がる。
【０００６】
本開示の別の態様により、２次元にわたって光を差し向ける方法が提供され、この方法は、
第１のステアリング素子において、第１の範囲の波長を含む第１の光信号を受け取るステップ、及び、第１のステアリング素子により、第１の光信号を第１の投射を横切って空間的に差し向けるステップと、
第２のステアリング素子において、第１の範囲の波長とは異なる第２の範囲の波長を含む第２の光信号を受け取るステップ、及び、第２のステアリング素子により、第２の光信号を、第２の投射を横切って空間的に差し向けるステップと、
を含み、
第１の投射及び第２の投射は、結合して２次元にわたって広がる。
【０００７】
本開示のさらに別の態様、及び上記のパラグラフにおいて説明された態様のさらに別の実施形態が、例として与えられる以下の説明及び添付の図面を参照することにより明白となるであろう。
【図面の簡単な説明】
【０００８】
【図１】環境を空間的にプロファイルするためのモジュールを示す。
【図２】光学ビームを差し向けるためのシステムの配置を概略的に示す。
【図３】図３Ａ及び３Ｂは、光学ビームディレクタの配置、及び掃引される波長チャネルにわたる光学ビームの空間的分布を概略的に示す。
【図４】図４Ａ及び４Ｂは、光学ビームディレクタの別の配置、及び掃引される波長チャネルにわたる光学ビームの空間的分布を概略的に示す。
【図５】図５Ａ及び５Ｂは、光学ビームディレクタのさらに別の配置、及び掃引される波長チャネルにわたる光学ビームの空間的分布を概略的に示す。
【図６】図６Ａ及び６Ｂは、光学ビームディレクタのさらに別の配置、及び掃引される波長チャネルにわたる光学ビームの空間的分布を概略的に示す。
【図７】図７Ａ及び７Ｂは、光学ビームディレクタのさらに別の配置、及び掃引される波長チャネルにわたる光学ビームの空間的分布を概略的に示す。
【図８】光学ビームを差し向けるためのシステムの配置を概略的に示す。
【図９】図９Ａ及び９Ｂは、可変線間隔回折格子の異なる配置を示す。
【図１０Ａ】第２の分散素子のアレイの別の配置を示す。
【図１０Ｂ】第２の分散素子のアレイの別の配置を示す。
【図１０Ｃ】第２の分散素子のアレイのさらに別の配置を示す。
【図１１】図８のシステムの遮られた出力の像を概略的に示す。
【発明を実施するための形態】
【０００９】
本明細書で説明されるのは、２次元にわたって光を差し向けるための光学システムである。説明されるシステムは、１つ又はそれ以上の選択された波長チャネルに基づき、且つ機械的に動く部分なしに、光をステアリングすることができる。本明細書における説明は、単一の選択された波長チャネルに焦点を合わせる（例えば、単一の波長可変光源を使用する）が、当然のことながら、些細な修正により、複数の選択された波長チャネルにも当てはまる（例えば、多色光源を用いて又は複数の単一波長可変光源を組み合わせて）。走査速度によるステアリング性、方向安定性及び空間的解像度は、それ故に、それぞれ、波長調整速度、波長安定性及び波長解像度に依存する。説明されるシステムは、その静的特性のために、機械的性能に対する依存性を減らす点、例えば、機械的故障又は機械的疲労の発生又は影響を減らす点で有用であり得る。
【００１０】
説明されるシステムは、例えば、環境の空間的プロファイルを推定するための空間的プロファイリング配置において、ビームディレクタを使用することができる。ビーム差し向けの他の例示的な用途は、分光法、光学的通視線通信、製造ラインについての２Ｄ走査、プロジェクタ、２Ｄプリンタ、適応性照明などを含む。以下の説明は、空間的プロファイル推定に焦点を合わせるが、当業者であれば、その説明は、些細な修正により、他のビーム差し向け用途にも適用可能であることを認識するであろう。
【００１１】
図１は、空間的プロファイリング配置１００の一例を示す。配置１００Ａは、光源１０２、ビームディレクタ１０３、受光器１０４及び処理ユニット１０５を含む。図１の配置において、光源１０２からの出射光は、ビームディレクタ１０３により、２次元の方向において、空間的プロファイルを有する環境１１０に差し向けられる。出射光が物体又は反射表面に当たる場合、出射光の少なくとも一部は、物体又は反射表面により、反射（実線矢印で表される）、例えば、散乱されてビームディレクタ１０３に戻り、受光器１０４で受け取られることができる。処理ユニット１０５は、光源１０２に動作可能に結合されてその動作を制御する。処理ユニット１０５は、反射表面までの距離を、反射光が進む往復距離を決定することによって決定するために、受光器１０４にも動作可能に結合される。
【００１２】
光源１０２、ビームディレクタ１０３、受光器１０４は、自由空間光通信、及び／又は光ファイバなどの光学導波路、或いは、２Ｄ又は３Ｄ導波路の形態の光学回路を介して互いに光学的に結合することができる。光源１０２からの出射光は、環境内に差し向けるためのビームディレクタ１０３に与えられる。ビームディレクタ１０３によって集められるいずれの反射光も受光器１０４に差し向けることができる。一例において、光源１０２からの光は、光学的処理の目的で、光源１０２から受光器１０４への直接光路（図示せず）を介して、受光器１０４にも与えられる。例えば、光源１０２からの光は、最初にサンプラ（例えば、９０／１０光ファイバカップラ）に入ることができ、この場合、光の大部分（例えば、９０％）がビームディレクタ１０３に与えられ、残りの光のサンプル部分（例えば、１０％）が、直接光路を介して受光器１０４に与えられる。別の例において、光源１０２からの光は、最初に、光学スイッチの入口ポートに入り、そして２つの出口ポートのうちの１つから出ることができ、この場合、１つの出口ポートが光をビームディレクタ１０３に差し向け、もう１つの出口ポートは、処理ユニット１０５によって決定された時間に、光を受光器１０４に差し向け直す。
【００１３】
光源１０２からの光は、Ｍ個の波長帯域にグループ化されるＮ個の波長チャネルのうちの選択された１つを含む。光源１０２は、波長可変レーザとすることができ、電子制御信号を介して所望の波長チャネルの選択を可能にする。Ｍ個の波長帯域は、連続する波長チャネルを含むことができる。例えば、Ｎ個の波長チャネルは、それらの中心波長λ１、λ２、．．．λＮによって指定され、Ｍ個の波長帯域は、｛λ１、λ２、．．．λｋ｝、｛λｋ＋１、λｋ＋２、．．．λ２ｋ｝、．．．｛λＮ-ｋ＋１、λＮ-ｋ＋２、．．．λＮ｝であり、ここでｋ＝Ｎ／Ｍである。
【００１４】
第１の配置
図２を参照すると、説明されるシステム２０３は、図１内のビームディレクタ１０３の役割を果たす。説明されるシステム２０３は、光源１０２からの光２０１を初期次元（線形又は非線形次元とすることができる）にわたって差し向けるように配置された分散素子２０２を含む。分散素子２０２は、１つ若しくはそれ以上の回折格子及び／又は１つ若しくはそれ以上のプリズムとすることができる。図２に描かれた初期次元は、光路２１０ａ（例えば、波長チャネルλ１に対応する）と光路２１０ｂ（例えば、波長チャネルλＮに対応する）との間の連続面のように見えるが、システム２０３は、実際には、一般的に複数の波長チャネルのうちの選択された１つに基づく任意の時間に、波長チャネルλ１、λ２、．．．λＮのうちの選択された１つを受け取る。
【００１５】
説明されるシステム２０３は、差し向けられた光２１０を受け取るための、初期次元に沿って配置された反射素子（図２には集合的に２０４と符号付けされている）のアレイを含む。説明のために、説明されるシステム２０３の部分ではないスクリーン２０８が、図２に、選択された波長がλ１とλＮとの間で掃引されるとき、差し向けられた光学ビーム２１２の空間分布を示すように、描かれる。図２に描かれているように、反射素子２０４が単一の平面鏡の形態をとる場合、差し向けられた光２１０の光路２１０ａは、反射光２１２の光路２１２ｂに沿って反射される。同様に、差し向けられた光２１０の光路２１０ｂは、反射光２１２の光路２１２ａに沿って反射される。単一の平面鏡の場合、像２０６は連続線の形となる。再び、システム２０３は、実際には、一般に、任意の時間に、波長チャネルλ１、λ２、．．．λＮのうちの選択された１つを受け取るので、像２０６は、実際には、説明のために図２に描かれているような連続線ではなく、点を形成する。差し向けられた光学ビーム２０６の空間的分布は、分散素子２０２によって生じる初期次元に関連付けられる第１の次元２１４に沿う。差し向けられた光学ビーム２０６は、第１の次元２１４に実質的に直交する第２の次元２１６に沿って分布しない。
【００１６】
図３〜７は、反射素子の種々のアレイを採用することの結果を示す。図３Ａ及び３Ｂは、比較のために図２の単一の平面鏡の場合を再現する。反射素子２０４が単一の平面鏡３０４である場合、選択された波長がλ１とλＮとの間で掃引される場合には像２０６は連続線３０６の形になる。差し向けられた光学ビーム２１２の空間的分布は、分散素子２０２によって生じる初期次元に関連付けられる、第１の次元２１４に沿う。差し向けられた光学ビーム２０６は、第２の次元２１６に沿って分布しない。
【００１７】
図４Ａ及び４Ｂは、反射素子２０４が、各々、隣接する鏡から小さい間隔で分離された、単一平面鏡４０４のアレイである場合を表す。像２０６は、選択された波長がλ１とλＮとの間で掃引される場合、破線４０６の形になる。破線の各々の破れた部分は、波長チャネル（例えば、｛λ１、λ２、．．．λｋ｝、｛λｋ＋１、λｋ＋２、．．．λ２ｋ｝、．．．又は｛λＮ-ｋ＋１、λＮ-ｋ＋２、．．．λＮ｝）の帯域を横切る波長掃引を表す。この場合、差し向けられた光学ビーム２１２の空間的分布は、やはり、分散素子２０２によって生じる初期次元に関連付けられる第１の次元２１４に沿う。差し向けられた光学ビーム２０６は、第２の次元２１６に沿って分布しない。
【００１８】
図５Ａ及び５Ｂは、反射素子２０４が平面鏡５０４のアレイである場合の、説明されるシステム２０３の配置を表し、各々の平面鏡は、隣接する鏡から小さい間隔で分離され、平面鏡の各々を通る第１の次元２１４に沿って延びる直線軸５０２の周りで互いに傾けられるか、或いは角度オフセットされる。像２０６は、選択された波長がλ１とλＮとの間で掃引される場合、段のある線５０６の形になる。各々の段は、波長チャネル（例えば、｛λ１、λ２、．．．λｋ｝、｛λｋ＋１、λｋ＋２、．．．λ２ｋ｝、．．．又は｛λＮ-ｋ＋１、λＮ-ｋ＋２、．．．λＮ｝）の帯域を横切る波長掃引を表す。角度オフセットの効果は、受け取った光２１２を、第２の次元２１６にわたって分布する種々の実質的に平坦な表面（又は本明細書においては「平面」）に向けて反射することであり、この場合、各々の平面は第１の次元２１４を横切って延びる。差し向けられた光学ビーム２０６は、第１の次元２１４及び第２の次元２１６の両方に沿って分布する。しかし、異なる平面の広がりは第１の次元２１４内では重ならない。図示されていないが、軸５０２に直交し、第２の次元２１６に沿って延びる軸の周りで、平面鏡５０４が互いにさらに傾けられるか、或いはさらに角度オフセットされる場合には、異なる平面を少なくとも部分的に重なるように構成することができる。この直交する傾きの、像２０６に対する効果は、段のある線５０６を第１の次元２１４に沿って移動させることである。各々の平面鏡５０４の適切な量の直交する傾きは、段のある線を、互いに十分に重なって２次元ステアリンググリッドを形成するように、移動させることになろう。
【００１９】
図６Ａ及び６Ｂは、反射素子２０４が発散鏡５０４（例えば、反射型シリンダ又は凸表面の形態におけるような）のアレイである場合の、説明されるシステム２０３の配置を表し、各々の発散鏡は、隣接する鏡から小さい間隔で分離され、発散鏡の各々の中心を通る直線軸６０２の周りで、互いに傾けられるか又は角度オフセットされる。像２０６は、選択された波長がλ１とλＮとの間で掃引される場合、段のある線６０６の形になる。各々の段は、波長チャネル（例えば、｛λ１、λ２、．．．λｋ｝、｛λｋ＋１、λｋ＋２、．．．λ２ｋ｝、．．．又は｛λＮ-ｋ＋１、λＮ-ｋ＋２、．．．λＮ｝）の帯域を横切る波長掃引を表す。図５Ａ及び５Ｂに示される場合のように、角度オフセットの効果は、受け取った光２１２を第２の次元２１６にわたって分布する種々の平面に向けて反射することであり、この場合、各々の平面は第１の次元２１４を横切って延びる。発散鏡の使用は、第１の次元２１４における各々の平面の広がりを拡張するためであり、これは、異なる曲率の発散鏡を使用することによって制御することができる。一般に、発散鏡のより大きい曲率が、第１の次元２１４に沿って広がる平面のより大きな広がりをもたらす。差し向けられた光学ビーム２０６は、第１の次元２１４及び第２の次元２１６の両方に沿って分布する。
【００２０】
図７Ａ及び７Ｂは、反射素子２０４が発散鏡７０４（例えば、反射型シリンダ又は凸表面の形態におけるような）のアレイである場合の、説明されるシステム２０３の配置を表し、各々の発散鏡は、隣接する鏡から小さい間隔で分離され、互いに傾けられるか或いは角度オフセットされ、反射素子の各々を通る湾曲軸７０２の周りに配置される。像２０６は、選択された波長がλ１とλＮとの間で掃引される場合、積層線７０６の形になる。各々の積層は、波長チャネル（例えば、｛λ１、λ２、．．．λｋ｝、｛λｋ＋１、λｋ＋２、．．．λ２ｋ｝、．．．又は｛λＮ-ｋ＋１、λＮ-ｋ＋２、．．．λＮ｝）の帯域を横切る波長掃引を表す。図５Ａ及び５Ｂに示される場合のように、角度オフセットの効果は、受け取った光２１２を第２の次元２１６にわたって分布する種々の平面に向けて反射することであり、この場合、各々の平面は第１の次元２１４を横切って延びる。角度オフセットは、積層の間隔を調節するように調整することができる。発散鏡の使用は、第１の次元２１４における各々の平面の広がりを拡張するためであり、これは、異なる曲率の発散鏡を使用することによって制御することができる。一般に、発散鏡のより大きい曲率が、第１の次元２１４に沿って広がる平面のより大きな広がりをもたらす。一配置において、湾曲軸７０２は、それぞれの平面を横切る第１の次元２１４の広がりを均等にするか又は整列させるように、初期次元内の湾曲経路に従う。別の配置において、湾曲軸は放物線状にすることができる。湾曲軸７０２の曲率は、それぞれの平面を横切る範囲を調節するように調整することができる。差し向けられた光学ビーム２０６は、第１の次元２１４及び第２の次元２１６の両方に沿って分布する。
【００２１】
図７Ａの配置を用いて、説明されるシステム２０３は、出射光を、２つの次元２１４及び２１６の中の複数の方向（１０６ａ、１０６ｂ、１０６ｃ．．．）のうちの１つにおいて、環境１１０中に空間的に差し向けるように構成することができる。出射光が差し向けられる方向は、複数の波長チャネル（λ１、λ２．．．λＮに中心を有する）の選択された１つに、対応するか、又は基づく。
【００２２】
例
一構成において、複数のスペクトル成分を有するか又は可変波長を有する（例えば、可変波長レーザのＣバンド  ４３ｎｍ調整範囲）光源が、波長チャネルの選択を１次元角度分散に変換する回折素子、例えばプリズム又は複合プリズムなどの上に又はそれを通して入射する。この構成において、０．２５°／ｎｍの角度分散をもたらすプリズムは、４３ｎｍスペクトル範囲を１０°の角度分離に変換する。この構成は、角度分散された光を拡大するための拡大望遠鏡（例えば、１５Ｘ）又は凸面鏡（例えば、半円の）を含む。１５Ｘの拡大望遠鏡を用いると、角度分散は約１５０°に拡大される。角度拡大器の出力は、凹面鏡の曲率中心に置かれ、出力光が凸面鏡の半径に沿って差し向けられるように配置される。この場合、入射光線は、鏡面に入射することになる際に、伝搬方向が鏡面に垂直であるので、同じであるが反対の方向に沿って反射されることになろう。
【００２３】
この構成において、凸面鏡の半径が０．０５ｍと仮定すると、入射光によって照射される１５０°をカバーする弧は０．１３ｍ＝（０．０５×π×１５０°／１８０°）となる。一例において、この０．１３ｍの弧は、５０個の小部分に分割され、これらの各々は、半径０．００１３ｍの半円凸面鏡を置くように構成される。５０個の凸半円の各々への入射光は３°の角度（即ち、１５０°／５０）に対することになるが、小さい半円は、各々の小部分の反射された光が、３°×３８．１９＝１１４．５９°の角度分散を有することになるように角度拡大効果を有することになり、この場合、３８．１９×の拡大は、半径の比から生じる（即ち、０．０５／０．００１３＝３８．１９×）。
【００２４】
次に、この構成は図７Ａに従って配置することができる。これらの小さい凸半円の各々は、環状部分から構築される。各々の環状部分をＺ軸内で前の部分に対して＋０．５°傾けることにより、各々の反射光が異なるｚ軸角度分散（０．５°の増分による）に投射される。この反射光は波長チャネルに基づいて２Ｄ像を生成する。この例において、２Ｄ像は、０．５°の解像度及び２５°（５０×０．５°）の垂直視野による、縦の５０本の線を含む。水平方向では、この例示的な構成は、光源の波長の最小変化によって制限される解像度で、１１４．５９°をカバーする。
【００２５】
前述に基づいて、光を２次元にわたって差し向けるための光学システムが提供される。その光は、波長帯域にグループ化される複数の波長チャネルのうちの選択された１つを含む。そのシステムは、複数の波長チャネルのうちの選択された１つに基づく初期次元にわたって、光を差し向けるように配置された分散素子と、差し向けられた光を受け取るように、初期次元に沿って配置された反射素子のアレイとを含み、その反射素子は、受け取った光を、それぞれの波長帯域に基づくそれぞれの平面に向けて、反射するように配置され、各々それぞれの平面は、初期次元に関連付けられる第１の次元を横切って延び、それぞれの平面は、第１の次元に実質的に垂直な第２の次元にわたって分布する。
【００２６】
光を２次元にわたって差し向ける、対応する方法も提供される。その方法は、光を、分散素子を用いて、複数の波長チャネルのうちの選択された１つに基づく初期次元に沿って配置された反射素子のアレイに、初期次元にわたって差し向けるステップと、この差し向けられた光を、反射素子のアレイを用いて、それぞれの波長帯域に基づくそれぞれの平面に向けて、反射するステップと、を含み、各々それぞれの平面は初期次元に関連付けられる第１の次元を横切って延び、それぞれの平面は、第１の次元に実質的に垂直な第２の次元にわたって分布する。
【００２７】
第２の配置
図８を参照すると、説明されるシステム８０３は、図１におけるビームディレクタ１０３の役割を果たす。説明されるシステム８０３は、光源１０２からの光８０１を初期次元にわたる第１の方向のうちの１つに向けて（例えば、図８のｘ軸に沿って）差し向けるように配置された、第１の分散素子を含む。第１の方向の各々は、差し向けられた光８１０の可能な光路に対応し、次いで、波長チャネルに対応する。例えば、図８に示すように、光路８１０ａは波長チャネルλ１に対応し、光路８１０ｂは波長チャネルλＮに対応する。第１の方向の幾つかが、図８に、開いた三角形８１１ａ及び８１１ｂとして表されている。第１の分散素子８０２は、１つ若しくはそれ以上の回折格子及び／又は１つ若しくはそれ以上のプリズムとすることができる。差し向けられた光８１０の角度広がりは、波長チャネルの範囲及び分散素子８０２の分散特性に依存する。説明のための１つの非限定的な例において、光源１０２は、遠距離通信グレードのレーザを含むことができる。遠距離通信グレードのレーザは、最大４０ｎｍまで、例えば、凡そ１５２７ｎｍから凡そ１５６７ｎｍまでの、波長調整範囲を有することができる。分散素子８０２は、均一な線間隔を有する回折格子（透過型回折格子など）を含むことができる。一変形において、回折格子は１０００線／ｍｍ〜１１００線／ｍｍの間の格子周期を有することができ、凡そ５〜１０度の角度広がりを容易にする。別の変形において、回折格子は約６００線／ｍｍの格子周期を有することができる。
【００２８】
説明されるシステム８０３は、差し向けられた光８１０を受け取るための初期次元に沿って配置された第２の分散素子８０４?１．．．８０４−Ｍ（集合的に８０４として言及される）のアレイをさらに含む。この例においては、Ｍ個の波長帯域に対応するＭ個の第２の分散素子が存在する。第２の分散素子のアレイは、受け取った光を第２の方向のうちの１つに向けてさらに差し向けるように構成される。幾つかの、しかし全てではない第２の方向が、図８に、閉じた三角形８１３ａ、８１３ｂ、８１３ｃ及び８１３ｄとして表されている。図８に示すように、第２の方向は、それぞれの波長帯域に基づくそれぞれの実質的に平坦な表面（又は、本明細書では「平面」）に沿って整列される。例えば、分散素子８０４−１に向けて差し向けられた、波長チャネル｛λ１、λ２、．．．λｋ｝における光は、アレイ８０４（特に分散素子８０４−１）により、Ｍ個の波長帯域のうちの第１のものに対応する最左端の平面８１２−１に沿って並べられた方向に向けてさらに差し向けられる。同様に、図示されていないが、分散素子８０４‐２に向けて差し向けられた、波長チャネル｛λｋ＋１、λｋ＋２．．．λ２ｋ｝における光は、アレイ８０４（特に分散素子８０４−２）により、Ｍ個の波長帯域のうちの第２のものに対応する平面に沿って整列された方向に向けて、さらに差し向けられる、などであり、分散素子８０４−Ｍに向けて差し向けられた波長チャネル｛λＮ-ｋ＋１、λＮ-ｋ＋２、．．．λＮ｝における光は、アレイ８０４（特に分散素子８０４−Ｍ）により、Ｍ個の波長帯域のうちのＭ番目に対応する最右端の平面８１２−Ｍに沿って整列された方向に向けて差し向けられる。
【００２９】
実際には、システム８０３は、出力ビームとして差し向けられる光の平面を生じない。むしろ、各々が対応する中心波長に関連付けられる、光の１つ又は少数のビームが、常時、出力ビームとして差し向けられる。図８における平面の図は、説明のためだけに描かれている。即ち、図８に描かれた差し向けられた光８１０は、光路８１０ａ（例えば、波長チャネルλ１に対応する）と光路８１０ｂ（例えば、波長チャネルλＮに対応する）との間の初期次元内の連続的な平面のように見え、他方、図８に描かれた別の差し向けられた光８１２は、連続的平面８１２−１、．．．８１２−Ｍのように見えるが、システム８０３は一般に、常時、波長チャネルλ１、λ２．．．λＮのうちの選択された１つを受け入れる。代替的に、図８における平面の図は、λ１からλＮまでの迅速な波長走査を捉えるように見ることができる。
【００３０】
さらに、システム８０３は単一の選択された波長チャネルを用いて説明されているが、当業者であれば、システムは、波長チャネルのうちの少数の選択されたものを同時に又はほぼ同時に受け入れるように適合させることができることを認識するであろう。一例において、光源１０２は、各々が異なる波長を放射するように調整された複数の波長可変レーザを含む。
【００３１】
説明のために、説明されるシステム８０３の一部ではないスクリーン８０８が、選択された波長がλ１とλＮとの間で掃引されるとき、出力光学ビーム８１２の空間的分布１０００（図１０及び以下の説明を参照されたい）を描くために図８に描かれている。第２の分散素子８０４のアレイは、各々、受け取った光を、個々の第２の分散素子８０４内に光が入射する位置に応じて、第２の方向のうちの１つに向けて差し向けるように構成される。別々の分散素子８０４を有するアレイが、説明のために、図８に描かれている。分散素子８０４は、図示されているように線による間隔で分離されても分離されなくても良い。
【００３２】
一配置において、第２の分散素子８０４のアレイは、各々、受け取った光を第２の次元を横切って回折するように、可変線間隔回折格子（例えば、透過型の）を含む。可変線間隔回折格子は、可変線間隔回折格子上の初期次元に沿った（例えば、ｘ軸に沿った）位置群に基づく、複数の格子周期を含む。一配置において、可変線間隔回折格子９０４ａは、第１の端部において、より短い格子周期９０８を有し、第２の反対側の端部において、より長い格子周期９１０を有する。格子周期は第１の端部から第２の端部まで増加することができる。一配置において、複数の格子周期における変化は、第２の分散素子のアレイ８０４を横切って実質的に繰り返す。換言すれば、格子周期は、第２の分散素子の各々の第１の端部から第２の端部まで増加することができる。
【００３３】
図９Ａ及び９Ｂは、可変線間隔回折格子の２つの配置を示す。図９Ａの配置において、格子周期は第１の端部から第２の端部（例えば、間隔１０６０線／ｍｍを有する）まで連続的に変化する。複数の格子周期の連続的な変化は、滑らかな格子線９０６ａに現れる。この配置の一例において、第１の端部における線間隔９０８は８００線／ｍｍであり、他方、第２の端部における線間隔９１０は１０５０線／ｍｍである。波長の変化がない場合にも、線間隔のそのような範囲は凡そ３０〜３５度のビーム発散を引き起こすのに十分である。他の線間隔を使用することもできる。アレイは４０ｍｍの長さにすることができる。この例において、各々の可変線間隔回折格子の幅（即ち、第１の端部から第２の端部までの距離）は１ｍｍとすることができ、それによりアレイ８０４内の約４０個の分散素子が可能になる。
【００３４】
回折格子の長さを２０ｍｍとすることができ、それにより凡そ少なくとも１８，０００本の格子線が可能になる。図９Ｂの配置において、格子周期は第１の端部から第２の端部まで不連続に変化する。複数の格子周期の不連続な変化は、段のある格子線９０６ｂに現れる。説明のためだけに、ｘ軸に沿った段はｙ軸に沿った線で繋がれているが、実際にはｙ軸に沿った格子線はなくても良いことに留意されたい。
【００３５】
図９Ａに示したような、連続的可変の線間隔回折格子を使用する場合、システム９０３は、初期次元内に、可変線間隔回折格子で受け取られた光を閉じ込める（例えば、収束させる）収束素子（図示せず）をさらに含むことができる。収束作用は、光学ビームの空間的広がりを、初期次元に沿って十分に小さく保ち、凡そ均一に間隔をあけられた格子を基本的に見る又は照射することを目標とする。一例において、収束素子は初期次元内で（即ち、ｘ軸に沿って）湾曲した円筒型レンズである。光が、可変線間隔回折格子において受け取られるとき、収束素子によって収束され、閉じ込められた後、可変線間隔回折格子から出る光は発散する可能性があり、コリメーションを必要とする。一配置において、システム８０３は収束された光をコリメートするためのコリメート素子を含む。システム８０３は、コリメートされた光を整形し、差し向け、フィルタするか又は影響を及ぼすための別の光学素子含むことができるが、コリメートされた光は、最後に、環境１１０に差し向けられる。
【００３６】
代替的配置において、第２の分散素子は各々、図９Ａ又は９Ｂの可変線間隔回折格子として機能する、位置依存反射素子を含むことができる。第１の構成において、図９Ｂの不連続可変線間隔回折格子に類似して、各々の分散素子８０４−Ｘは一組の反射素子（例えば、平面鏡又はＭＥＭ）を含み、各々の反射素子は、初期次元に沿って位置決めされ、光を第２の方向のそれぞれ１つに反射するように配置される。例えば、この代替的配置をもたらすために、受け取られた光によって局所均一な格子周期を有するように見られる図９Ｂにおける不連続可変線間隔回折格子の各部分を、第１の分散素子から、平面８１２−１、８１２−２．．．８１２−Ｍの中の対応する平面に沿って整列されたそれぞれの方向に、光を反射するように角度を調整された平面鏡で置き換えることができ、ここで、それぞれの方向は、初期次元に沿ったそれぞれの平面鏡の位置に関連付けられる。第２の構成において、図９Ａの連続可変線間隔回折格子に類似して、第１の構成の一組の反射素子を、湾曲した反射表面として一体的に形成することができる。換言すれば、この代替的配置の両方の構成は、可変線間隔回折格子のそれぞれの部分として、同じ差し向け効果を達成する。厳密に言えば、この代替的配置における反射素子だけが、波長に基づいて光を差し向けるのではないが、それらは、第１の分散素子による初期分散の集合的効果及び反射の空間依存角度に基づく、第２の分散素子の全体的な分散効果を達成する。換言すれば、反射素子のアレイがそれら自体で分散的ではない場合にも、各々、異なる波長チャネルを受け取り、受け取った光を異なるように反射するように角度を付けられた反射素子は、反射素子が波長対応可能なステアリングをもたらすので、第２の分散素子の機能を達成すると考えられる。
【００３７】
図１０Ａは、そのような代替的配置の第２の構成１０００Ａを示す。構成１０００Ａは、各々、湾曲した反射表面１００６を含む、第２の分散素子（この図においては、１００４−１、１００４−２、．．．１００４−１１）のアレイ１００４を含む。図１０Ｂに概略的に描かれるように、各々の第２の分散素子（例えば、１００４−１）の湾曲した反射表面１００６は、ｘ−ｙ面内で、ｘ軸に平行な軸１００８の周りに平坦な表面１００６Ａを「ねじる」ことによって形成されると理解することができる。例えば、図１０Ｂ（ａ）及び（ｂ）を参照すると、平坦な反射表面１００６Ａから開始し、素子１００４−１の第１の端部１０１０を、軸１００８の周りに、一方向に（例えば、時計回りに）変形可能に回転させ、他方、素子１００４−１の第２の反対側の端部１０１２を、軸１００８の周りに、反対の方向に（例えば、反時計回りに）変形可能に回転させる。実際には、湾曲表面１００６の形成は変形による必要はなく、例えば、高精度ミリングとそれに続く表面研磨及び被覆（例えば、金を用いた）によることができる。
【００３８】
結果として得られる表面輪郭を破線で示す図１０Ｂ（ｃ）を参照すると、第１の分散素子８０２によって差し向けられ、第１の端部１０１０の近くに入射する光（図１０Ｂ（ｃ）におけるλ１）は、１つのｙ方向（例えば、正のｙ方向）に向けて反射され、他方、第１の分散素子８０２によって差し向けられ、第２の端部１０１２の近くに入射する光（図１０Ｂにおけるλｋ）は、異なるｙ方向（例えば、負のｙ方向）に向けて反射される。換言すれば、反射表面の法線ベクトルは、ｘ軸に沿った位置に基づいて変化する。法線ベクトルの変化は連続的とするか、又は位置と共に不連続とすることができる。ｘ軸に沿って位置決めされた、各々の付加的な第２の分散素子１００４−Ｘは、第１及び第２の端部と同様に、反対方向に「ねじられる」ように構成され、波長が変化する際にラスタービームのステアリングを容易にする。例えば、光が波長帯域λ１〜λｋ内で波長を変化させる際（即ち、１つの第２の分散素子を横切って入射するとき）光は正のｙ方向から負のｙ方向まで掃引され、光が波長を次の波長帯域λｋ＋１〜λ２ｋに変化させる際（即ち、次の第２の分散素子に入射するとき）ｘ軸に沿って段を付けられる、などである。前述のように、一構成において、各々の第２の分散素子１００４−Ｘの湾曲表面１００６は、各々が、例えば、正のｙ方向から負のｙ方向まで光を反射するように、徐々に増加する角度を付けられた一組の平坦な反射素子によって代替的に形成することができる。
【００３９】
図１０Ａの配置１０００Ａには、隣接する分散素子１００４−Ｘの間の境界に急な段が存在する。ここで、急な段は、ｘ−ｙ平面に直行し、隣接する分散素子１００４−Ｘの湾曲表面１００６に隣接する隣接表面１０１４を含む。図１０Ｃに示される代替的な配置１０００Ｃにおいて、急な段は、ｘ方向にジグザグ様式で現れる。ここで、隣接表面１０１４Ｃは、入射光を受け取る湾曲表面１００６Ｃの鏡像である。配置１０００Ｃの上端部１０１８及び下端部１０２０に沿ったジグザグパターンは、互いの反転バージョンである。図１１は、出射光を遮るように、システム８０３の出力部に置かれたスクリーン８０８の像１１００を概略的に示す。図１１の各々の点は、波長チャネルλ１、λ２、．．．λＮのうちの選択された１つを表す。各々の点は、実際には、選択された波長チャネルに基づいて、自然に現れるが、説明のために図１１には全ての点が、それらが同時に捕捉できるかのように、描かれていることに留意されたい。像１１００は、光出力のＭ個のグループ（１１０２−１、１１０２−２．．．１１０２−Ｍ）を含む。光出力のＭ個のグループは、Ｍ個の第２の分散素子（８０４−１．．．Ｍ）、Ｍ個の波長帯域及びＭ個の平面（８１２−１．．．Ｍ）に対応する。これらの平面は第１の次元にわたって分布し、各々は、第１の次元に実質的に垂直な第２の次元を横切って延びる。第１の次元は、必ずしも正確に初期次元（即ち、図８におけるｘ軸）と一致する必要はなく、第２の次元は、必ずしも正確に初期次元に直交する次元（即ち、図８におけるｙ軸）と一致する必要はない。図１１に示されるように、光出力の各々のグループは、ｙ軸から小さい角度で傾けられるように表されている。小さい角度の傾きは、第１の分散素子２０２によって生成される小さい波長依存分散から生じ、第２の次元の中に位置依存分散をもたらすために各々の第２の分散素子の初期次元に沿った種々異なる位置を照射するのに必要である。この傾きは、実際には、些細なものであり、及び／又は、例えば、平面８１２−１、８１２−２．．．８１２−Ｍが、物理的な世界フレーム内の真の垂直軸（即ち、経線）に整列するように、取り付け角度を物理的に調節することによって、容易に補正若しくは適合される。
【００４０】
図８の配置を用いると、説明されるシステム８０３は、出射光を、環境１１０内への２次元８１４及び８１６における複数の方向（１０６ａ、１０６ｂ、１０６ｃ．．．）のうちの１つの中へ、空間的に差し向けるように構成することができる。出射光が差し向けられる方向は、複数の波長チャネル（λ１、λ２、．．．λＮに中心を有する）のうちの選択された１つに対応するか、又はそれに基づく。
【００４１】
一般的配置
上記の開示は、光の波長依存の２次元ステアリングを容易にするための、１つ又はそれ以上の反射、屈折及び回折素子を含む配置を説明する。より一般的には、ステアリングは、複数の波長チャネルのうちの選択された１つに基づく１次元に沿った種々異なる位置に光を差し向け、さらに、種々異なる位置に基づく別の次元に沿った種々異なる方向に、光をステアリングするための１つ又はそれ以上のステアリング素子を用いて、光を差し向けることによって達成され得る。波長依存の方向は、例えば、１つ又はそれ以上のプリズム、１つ又はそれ以上の回折格子及び１つ又はそれ以上のグリズムの任意の組み合わせなどの分散素子を用いて達成することができる。ステアリング素子は、位置依存方向性影響を、例えば、反射、屈折又は回折を介して、光に及ぼす。例えば、図７Ａ及び７Ｂの配置において、ステアリング素子は、その法線ベクトルが位置と共に変化する、凸型反射表面のアレイである。別の例として、図９Ａ及び９Ｂの配置において、ステアリング素子は、その格子周期が位置と共に変化する、可変線間隔回折格子のアレイである。さらに別の例として、図１０Ａ及び１０Ｂの配置において、ステアリング素子は、その法線ベクトルが位置と共に変化する、湾曲した又は「ねじられた」反射表面のアレイである。
【００４２】
当業者であれば、反射、屈折及び回折素子のいずれも、位置依存方向性影響を及ぼすための他の２つの素子のいずれか又は両方に基づく類似の相当物を有することが多いことを認識するであろう。例えば、凹面（凸面）鏡及び凸（凹）レンズは、収束（収束ぼかし）素子の反射−屈折相当物であり、前者は反射モードで使用され、後者は透過モードで使用される。一例として、図７Ａ及び７Ｂの配置において、凸型反射表面のアレイは、ステアリング素子としての凹レンズのアレイで置き換えることができる。既に上述した別の例として、図９Ａ及び９Ｂの配置における可変線間隔回折格子は、ステアリング素子としての図１０Ａ及び１０Ｂの湾曲した又は「ねじられた」反射表面のアレイによって置き換えることができる。従って、ステアリング素子は、１つ又はそれ以上の反射、屈折又は回折素子の形態にすることができる。１つのタイプの素子の説明は、鏡の修正物により、別のタイプの素子にも当てはまり得る。
【００４３】
次に、本開示のその配置を説明するが、当業者には、説明する配置のうちの少なくとも１つは、以下の利点を有することが明白であろう：
・  波長依存のビームディレクタの使用は、ビームの再差し向けの速度を改善するための慣性無しに又はほとんど無しに、出射光を波長に基づく方向に差し向ける。
・  一次元における指向性ステアリングに現れる波長可変性は、１つ又はそれ以上の反射、屈折及び回折素子などの多数の類似のステアリング素子を用いで２次元に変換することができる。
【００４４】
この明細書において開示され定められる本開示は、本文又は図面により言及された又は明白な２つ又はそれ以上の個々の特徴の全ての代替的組み合わせに及ぶことを理解されたい。これらの種々異なる組み合わせの全ては、本開示の種々の代替的態様を構成する。例えば、以下の記述による開示が提供される。
【００４５】
ｉ．  ２次元にわたって光を差し向けるための光学システムであって、その光は、波長帯域にグループ化される複数の波長チャネルのうちの選択された１つを含み、そのシステムは、
光を、複数の波長チャネルのうちの選択された１つに基づく初期次元にわたって、差し向けるように配置された分散素子と、
差し向けられた光を受け取るように初期次元に沿って配置されたステアリング素子のアレイと、
を含み、ステアリング素子は受け取った光をそれぞれの波長帯域に基づくそれぞれの平面に向けてさらに差し向けるように配置され、各々それぞれの平面は初期次元に関連付けられる第１の次元を横切って延び、それぞれの平面は、第１の次元に実質的に垂直な第２の次元にわたって分布する、
光学システム。
【００４６】
ｉｉ．  ステアリング素子のアレイの各々が反射素子、屈折及び回折素子のいずれか１つを含む、記述ｉの光学システム。
【００４７】
ｉｉｉ．  反射素子のアレイが、それぞれの平面を横切る第１の次元の範囲を均等化するか又は整列させるため凹型経路に従うように、初期次元に沿って配置される、記述ｉｉの光学システム。
【００４８】
ｉｖ．  反射素子のアレイが、受け取った光をそれぞれの平面に向けて反射するように、互いに角度オフセットされる、記述ｉｉｉの光学システム。
【００４９】
ｖ．  分散素子が、初期次元にわたって光を差し向けるための１つ又はそれ以上の回折格子及び１つ又はそれ以上のプリズムを含む、記述ｉの光学システム。
【００５０】
ｖｉ．  ２次元にわたって光を差し向ける方法であって、その光は、波長帯域にグループ化される複数の波長チャネルのうちの選択された１つを含み、その方法は、
分散素子を用いて、複数の波長チャネルのうちの選択された１つに基づく初期次元に沿って配置された反射素子のアレイにおいて、初期次元にわたって光を差し向けるステップと、
差し向けられた光を、反射素子のアレイを用いて、それぞれの波長帯域に基づくそれぞれの平面に向けて反射するステップと、
を含み、各々それぞれの平面は初期次元に関連付けられる第１の次元を横切って延び、それぞれの平面は、第１の次元に実質的に垂直な第２の次元にわたって分布する、
方法。
【００５１】
ｖｉｉ．  ２次元にわたって光を差し向けるための光学システムであって、その光は、波長帯域にグループ化される複数の波長チャネルのうちの選択された１つを含み、そのシステムは、
複数の波長チャネルのうちの選択された１つに基づく初期次元にわたり、第１の方向のうちの１つに向けて光を差し向けるように配置された第１の分散素子と、
差し向けられた光を受け取るように初期次元に沿って配置された第２の分散素子のアレイと、
を含み、第２の分散素子のアレイは受け取った光を第２の方向のうちに１つに向けてさらに差し向けるように構成され、第２の方向はそれぞれの波長帯域に基づくそれぞれの平面に沿って整列され、その平面は初期次元に関連付けられる第１の次元にわたって分布し、各々の平面は、第１の次元に実質的に垂直な第２の次元を横切って延びる、
光学システム。
【００５２】
ｖｉｉｉ．  第２の分散素子のアレイは、各々、受け取った光を第２の次元を横切って回折するための可変線間隔回折格子を含む、記述ｖｉｉの光学システム。
【００５３】
ｉｘ．  可変線間隔回折格子は、可変線間隔回折格子上の初期次元に沿った位置群に基づく複数の格子周期を含む、記述ｖｉｉｉの光学システム。
【００５４】
ｘ．  複数の格子周期は初期次元に沿って連続的に変化する、記述ｉｘの光学システム。
【００５５】
ｘｉ．  複数の格子周期は初期次元に沿って不連続に変化する、記述ｘの光学システム。
【００５６】
ｘｉｉ．  複数の格子周期の変化は、第２の分散素子のアレイを横切って実質的に繰り返す、記述ｉｘ〜ｘｉのいずれか１つの光学システム。
【００５７】
ｘｉｉｉ．  第２の方向は、可変線間隔回折格子上の初期次元に沿った位置群に対応する、記述ｉｘ〜ｘｉｉのいずれか１つの光学システム。
【００５８】
ｘｉｖ．  可変線間隔回折格子において受け取られた差し向けられた光を初期次元内に閉じ込めるための収束素子をさらに含む、記述ｉｘ〜ｘｉｉｉのいずれか１つの光学システム。
【００５９】
ｘｖ．  収束素子は円筒型レンズである、記述ｘｉｖの光学システム。
【００６０】
ｘｖｉ．  収束素子によって収束された光をコリメートするためのコリメート素子をさらに含む、記述ｘｉｖ又はｘｖの光学システム。
【００６１】
ｘｖｉｉ．  第１の分散素子は、光を初期次元にわたって差し向けるための、１つ又はそれ以上の回折格子及び１つ又はそれ以上のプリズムの任意の組み合わせを含む、記述ｖｉｉの光学システム。
【００６２】
ｘｖｉｉｉ．  ２次元にわたって光を差し向ける方法であって、その光は、波長帯域にグループ化される複数の波長チャネルのうちの選択された１つを含み、その方法は、
第１の分散素子を用いて、複数の波長チャネルのうちの選択された１つに基づく初期次元に沿って配置された第２の分散素子のアレイにおいて、初期次元にわたる第１の方向のうちの１つに向けて、光を差し向けるステップと、
差し向けられた光を、第２の分散素子のアレイを用いて、第２の方向のうちの１つに向けてさらに差し向けるステップと、
を含み、第２の方向はそれぞれの波長帯域に基づくそれぞれの平面に沿って整列され、平面は、初期次元に関連付けられる第１の次元にわたって分布し、各々の平面は、第１の次元に実質的に垂直な第２の次元を横切って延びる、
方法。
【図１】
2019536098.tif 000003
【図２】
2019536098.tif 000004
【図３】
2019536098.tif 000005
【図４】
2019536098.tif 000006
【図５】
2019536098.tif 000007
【図６】
2019536098.tif 000008
【図７】
2019536098.tif 000009
【図８】
2019536098.tif 000010
【図９】
2019536098.tif 000011
【図１０Ａ】
2019536098.tif 000012
【図１０Ｂ】
2019536098.tif 000013
【図１０Ｃ】
2019536098.tif 000014
【図１１】
2019536098.tif 000015
【国際調査報告】
2019536098.tif 000016
2019536098.tif 000017
2019536098.tif 000018
2019536098.tif 000019